(57)【要約】      （修正有）【課題】鳥卵内に生存胚が存在するかどうかを決定することができる非接触型卵識別システム、及び関連した方法を提供する。【解決手段】鳥卵１の生存を決定するための卵識別システムは、卵１に向けて電磁放射線を放出するように構成されるエミッタ組立体２００を含む。検出器組立体３００は、卵１を透過した電磁放射線を検出するために、エミッタ組立体２００に軸方向に整列される。出力信号は、卵１を通過した電磁放射線の強度の、心拍等の心臓の活動または胚の動きに対応する周期的変動または非周期的摂動が存在するかどうかを決定するために処理され、周期的変動または非周期的摂動は、その卵１が生存していることを示す。関連する方法もまた提供される。【選択図】図６
2019132845.tif 000002
【特許請求の範囲】
【請求項１】
鳥卵の生存を決定するための卵識別システムであって、
複数の卵を含有する卵ケースを搬送するように構成される搬送機システムと、
前記卵ケース内において搬送される前記卵の１つに向けて平行電磁放射線を放出するように構成されるエミッタ組立体と、
前記エミッタ組立体に軸方向に整列された非接触型検出器組立体であって、前記卵を透過した前記電磁放射線を検出するように構成され、識別のために位置付けられた卵が、前記非接触型検出器組立体の動作中にその組立体から離間するような非接触位置に配置される、非接触型検出器組立体と、
前記非接触型検出器組立体の出力信号を処理して、それぞれの卵を透過した前記電磁放射線の強度の、心臓の活動及び胚の動きに対応する周期的及び非周期的変動の少なくとも１つが存在するかどうかを決定するように構成されるプロセッサであって、前記周期的及び非周期的変動の１つの存在は、前記卵が生存していることを示すプロセッサとを備える、前記卵識別システム。
【請求項２】
前記エミッタ組立体は、そこから放出された前記電磁放射線を平行化するように構成される、請求項１に記載の卵識別システム。  
【請求項３】
前記エミッタ組立体は、前記エミッタ組立体から放出された軸外電磁放射線を拒絶するように構成されるエミッタバッフル構成を有するエミッタ筐体を備える、請求項１に記載の卵識別システム。
【請求項４】
前記エミッタ組立体は、変調信号の形態でそこから放出された前記電磁放射線を変調するように構成される変調器を備える、請求項１に記載の卵識別システム。
【請求項５】
前記エミッタ組立体は、赤外放射線を放出するように構成される発光ダイオード源を含む、請求項１に記載の卵識別システム。
【請求項６】
前記非接触型検出器組立体は、前記出力信号を生成するために、望ましくない電磁放射線が前記非接触型検出器組立体により受容されることを拒絶するように構成される検出器バッフル構成を有する検出器筐体を備える、請求項１に記載の卵識別システム。
【請求項７】
前記非接触型検出器組立体は、前記卵を透過した前記電磁放射線を収集するように構成される検出器レンズシステムを備える、請求項１に記載の卵識別システム。
【請求項８】
それぞれの卵に関連した不透明性に基づいて前記卵の生存を決定するように構成される不透明性識別組立体をさらに備え、前記不透明性識別組立体は、前記エミッタ組立体及び前記非接触型検出器組立体の上流側に配置され、前記不透明性識別組立体は、前記不透明性識別組立体により識別されるような非生存卵が、生存決定のために前記エミッタ組立体と前記非接触型検出器組立体との間に配置される時に、それらの動作を無効化するように構成されるコントローラと連通している、請求項１に記載の卵識別システム。
【請求項９】
卵の生存を決定する方法であって、
搬送機システムを使用して、卵ケース内に含有される卵を搬送することと、
エミッタ組立体から前記卵に向けて、平行電磁放射線を放出することと、
前記エミッタ組立体と軸方向に整列された非接触型検出器組立体により、前記卵を透過した電磁放射線を検出することであって、前記非接触型検出器組立体は、前記卵から離間している、検出することと、
前記非接触型検出器組立体により検出された前記電磁放射線から、出力信号を生成する
ことと、
前記出力信号を処理して、それぞれの卵を透過した前記電磁放射線の強度の、心臓の活動及び胚の動きに対応する周期的及び非周期的変動の少なくとも１つが存在するかどうかを決定することであって、前記周期的及び非周期的変動の１つの存在は、前記卵が生存していることを示す、決定することとを含む、前記方法。
【請求項１０】
エミッタ組立体から前記卵に向けて電磁放射線を放出することは、前記電磁放射線をコリメータデバイスで平行化することを含む、請求項９に記載の方法。
【請求項１１】
前記エミッタ組立体のエミッタ筐体内に配置されたエミッタバッフル構成を使用することにより、前記エミッタ組立体から放出された軸外電磁放射線を拒絶することをさらに含む、請求項９に記載の方法。
【請求項１２】
エミッタ組立体から電磁放射線を放出することは、変調信号の形態で前記エミッタ組立体から放出された前記電磁放射線を変調することを含む、請求項９に記載の方法。
【請求項１３】
エミッタ組立体から電磁放射線を放出することは、発光ダイオード源により赤外放射線を放出することを含む、請求項９に記載の方法。
【請求項１４】
非接触型検出器組立体により前記卵を透過した電磁放射線を検出することは、前記非接触型検出器組立体の検出器筐体内に配置された検出器バッフル構成を使用することにより、望ましくない電磁放射線が前記非接触型検出器組立体により受容されることを拒絶することを含む、請求項９に記載の方法。
【請求項１５】
非接触型検出器組立体により前記卵を通過した電磁放射線を検出することは、検出器レンズにより前記卵を通過した電磁放射線を収集することを含む、請求項９に記載の方法。
【請求項１６】
前記卵に関連した不透明性に基づいて前記卵の生存を決定するように構成される不透明性識別組立体を通して、前記卵を搬送することであって、前記不透明性識別組立体は、前記エミッタ組立体及び前記非接触型検出器組立体の上流側に配置される、搬送することをさらに含み、前記不透明性識別組立体により識別されるような非生存卵が、生存決定のために前記エミッタ組立体及び前記非接触型検出器組立体に搬送される時に、それらの動作を無効化することをさらに含む、請求項９に記載の方法。
【発明の詳細な説明】
【技術分野】
【０００１】
本開示は、概して、卵識別システムに関する。より具体的には、本開示は、エミッタ−検出器システムを使用して鳥卵内に生存胚が存在するかどうかを決定することができる非接触型卵識別システム、及び関連した方法に関する。
【背景技術】
【０００２】
いくつかの観察可能な品質に基づく家禽卵の区別は、家禽産業においては周知の、長い間使用されている作業である。「検卵（ｃａｎｄｌｉｎｇ）」は、そのような技術の一般的な名称であり、元々はろうそくからの光を使用して卵を検査する作業を起源とした用語である。卵に詳しい者には知られているように、卵殻は、ほとんどの照明条件下で不透明に見えるが、実際には幾分半透明であり、直接照明の前に置いた場合、卵の中身が観察され得る。
【０００３】
孵化して生きた家禽となる卵は、典型的には胚発生中に検卵され、透明な、腐敗した、及び死んだ卵（本明細書において総称して「生育不能卵」と呼ばれる）が識別される。生きていない卵（非生存卵とも呼ばれる）は、利用可能なインキュベータ空間を増加させ、また生物学的汚染のリスクを低減するために、インキュベーションから取り除かれる。多くの場合、卵内注射により、孵化前の生きた卵（生存卵とも呼ばれる）に物質を導入することが望ましい。鳥卵への様々な物質の注射は、商業的家禽産業において、孵化後死亡率を減少させるために、または孵化した鳥の成長率を増加させるために使用されている。卵内注射に使用されている、または提唱されている物質の例には、ワクチン、抗生物質、及びビタミンが挙げられる。
【０００４】
物質の卵内注射は、典型的には、卵殻に穿刺して貫通孔を形成し（例えば穿孔器またはドリルを使用して）、孔を通して卵の内部に（及びいくつかの場合にはそれに含有される鳥胚に）注射針を伸ばし、針を通して１種または複数種の治療物質を注射することにより行われる。そのようなデバイスは、卵及び注射針を、互いに固定された関係で位置付けることができ、複数の卵の高速自動注射用に設計されてもよい。注射処置の部位及び時間の選択はまた、注射された物質の有効性、及び注射された卵または処置された胚の死亡率に影響し得る。
【０００５】
商業的家禽生産において、商業的な若鶏の卵の約６０％〜９０％のみが孵化する。孵化しない卵は、受精していない卵、及び死んだ受精卵を含む。無精卵は、セット内の全ての卵の約５％から約２５％までを構成し得る。商業的家禽生産において遭遇する生きていない卵の数に起因して、卵内注射のための自動化された方法の使用、及び治療物質の費用、生きた卵を識別し、生きた卵のみに選択的に注射（または選択的に接触）するための自動化された方法が望ましい。
【０００６】
卵は、生存胚を有することを意味する「生きた」卵であってもよい。図１は、インキュベーションの約１日目の生きた家禽卵１を示す。図２は、インキュベーションの約１１日目の生きた卵１を示す。卵１は、１０に表される近傍に幾分尖った端部、及び、２０に示される近傍に反対に位置する幅が広いまたは尖っていない端部を有する。図１において、胚２は、卵黄３の上に示されている。卵１は、幅が広い端部２０に隣接する気胞４を含有する。図２に示されるように、雛の翼５、脚６、及び嘴７が発達している。
【０００７】
卵は、胚を有さないことを意味する「透明」または「無精」卵であってもよい。より具体的には、「透明」卵は、腐敗していない無精卵である。卵は、約１日齢から５日齢で死
んだ胚を有することを意味する「早期死亡」卵であってもよい。卵は、約５日齢から１５日齢で死んだ胚を有することを意味する「中期死亡」卵であってもよい。卵は、約１５日齢から１８日齢で死んだ胚を有することを意味する「後期死亡」卵であってもよい。
【０００８】
卵は、卵が腐敗した無精卵黄（例えば、卵殻の亀裂の結果）、または代替として、腐敗した死んだ胚を含むことを意味する「腐敗」卵であってもよい。「早期死亡」、「中期死亡」または「後期死亡卵」は、腐敗卵であってもよいが、それらの用語は、本明細書において使用される場合、腐敗していないそのような卵を指す。透明、早期死亡、中期死亡、後期死亡、及び腐敗卵はまた、生きた胚を含まないため、「生きていない」卵として分類され得る。
【０００９】
生きた（生存）卵及び生きていない（非生存）卵を区別することができることが重要な、他の用途がある。これらの用途の１つは、生きた卵を介したワクチンの培養及び採取（「ワクチン生成卵」と呼ばれる）である。例えば、ヒトインフルエンザワクチン生成は、胚発生の約１１日目（第１１日目卵）に種ウイルスを鶏卵内に注射し、約２日間ウイルスを増殖させ、卵を冷却することにより胚を致死させ、次いで卵から不明な流体を採取することにより達成される。典型的には、卵は、生育不能卵を除去するために、種ウイルスの注射前に検卵される。ワクチン生成卵は、種ウイルスの注射の１日以上前に検卵されてもよい。種ワクチンが生きていない卵において無駄になることを防止し、生きていない卵の運搬及び廃棄に関連した費用を削減すること望ましいため、ワクチン生成における生きた卵の識別は重要である。
【００１０】
いくつかの以前の検卵装置は、複数の光源及び対応する光検出器がアレイとして装備され、卵がケース上で光源と光検出器との間を通過する不透明性識別システムを使用していた。残念ながら、そのような従来の検卵技術は、透過光の同様のレベルをもたらす同様の光学密度を有する卵（例えば、生きている卵及び腐乱した卵）の異なるカテゴリーに起因して、精度が幾分制限され得る。光不透明性識別システムは、１時間当たり約３００，０００個の卵に等しい速度で動作することができ、卵の流れから透明卵を成功裏に識別し得る。しかしながら、生きているものとして識別されたいくつかの卵は、実際には生きていない可能性がある（例えば、腐乱した卵、中期及び後期死亡卵）。
【００１１】
他の以前の検卵装置は、生きている卵及び生きていない卵を検出することができる胚心拍検出を使用していた。しかしながら、これらのシステムは、検出目的の機械的な光シールを形成するために、卵に接触する検出ツールを必要とし、これはいくつかの問題を呈し得る。まず、卵は、各検出ツールがそれぞれの卵に接触するために検出ツールヘッドが上下される間停止されなければならないため、処理量パラメータが抑制される。次に、生きていない卵、特に腐乱した卵（接触時に破裂し得る）との機械的接触は、不必要に検出システム内に汚染を導入し得、これは、さらなる処理中に、後続の生きた卵に移される可能性がある。最後に、以前の心拍検出システムにおけるエミッタ−検出器構成は、所望の処理量を可能とするために機械的に位置付けることが困難であり、不完全なシールが光漏れをもたらして、所望の透過信号に干渉し得る。
【発明の概要】
【発明が解決しようとする課題】
【００１２】
したがって、動作中に接触することなく、及び機械的光シールを使用せずに、生きた卵及び生きていない卵を正確に区別することができる心拍検出システムを実装した検卵装置を提供することが望ましい。さらに、高い処理量で、及び正確な様式での生きた卵の心拍検出を促進する関連した方法を提供することが望ましい。
【課題を解決する手段】
【００１３】
上記及び他の必要性は、一態様に従い鳥卵の生存を決定するための卵識別システムを提供する本開示の態様により満足される。システムは、複数の卵を含有する卵ケースを搬送するように構成される搬送機システムを含む。エミッタ組立体は、卵ケース内で搬送される卵に向けて平行電磁放射線を放出するように構成される。非接触型検出器組立体は、エミッタ組立体に軸方向に整列される。非接触型検出器組立体は、卵を透過した電磁放射線を検出するように構成される。非接触型検出器組立体は、識別のために位置付けられた卵が、非接触型検出器組立体の動作中にその組立体から離間するような非接触位置に配置される。プロセッサは、非接触型検出器組立体の出力信号を処理して、それぞれの卵を透過した電磁放射線の強度の、心臓の活動及び胚の動きに対応する周期的または非周期的変動が存在するかどうかを決定するように構成され、周期的または非周期的変動は、卵が生存していることを示す。
【００１４】
別の態様は、卵の生存を決定する方法を提供する。方法は、搬送機システムを使用して、卵ケース内に含有される卵を搬送することを含む。方法は、エミッタ組立体から卵に向けて、平行電磁放射線を放出することをさらに含む。方法は、エミッタ組立体と軸方向に整列された非接触型検出器組立体により、卵を透過した電磁放射線を検出することをさらに含み、非接触型検出器組立体は、卵から離間している。方法は、非接触型検出器組立体により検出された電磁放射線から、出力信号を生成することをさらに含む。方法は、出力信号を処理して、それぞれの卵を透過した電磁放射線の強度の、心臓の活動または胚の動きに対応する周期的または非周期的変動が存在するかどうかを決定することをさらに含み、周期的または非周期的変動は、卵が生存していることを示す。
【００１５】
したがって、本開示の様々な態様は、その他の点で本明細書に詳述されるような利点を提供する。
【図面の簡単な説明】
【００１６】
一般的な用語で本開示の様々な実施形態をこのように記載し、以降添付の図面への参照がなされるが、図面は必ずしも縮尺通りには描写されていない。
【００１７】
【図１】インキュベーションの約１日目の生きた鶏卵を示す図である。
【図２】インキュベーションの約１１日目の生きた鶏卵を示す図である。
【図３】本開示の一態様による、卵識別システムの概略図である。
【図４】固定位置に卵を含有することができる卵ケースの概略斜視図である。
【図５】卵検出システムの一連のエミッタ−検出器対を通って搬送される卵ケース内の卵を示す図であり、検出信号に不必要に寄与する干渉軸外放出の経路をさらに示している。
【図６】本開示の一態様による卵検出システムにおいて使用され得るエミッタ−検出器対により、生存に関して調査されている卵を示す図である。
【図７】本開示の一態様による、卵検出システムにおいて使用され得るエミッタ組立体の一部を形成する発光源及び関連したコリメータデバイスを示す図である。
【図８】本開示の一態様による、卵検出システムにおいて使用され得るエミッタ組立体の様々な構成要素を示す図である。
【図９】本開示の一態様による、卵に対する検出器組立体、及び関連した卵検出面を示す図である。
【図１０】本開示の別の態様による、卵に対する検出器組立体、及び関連した卵検出面を示す図である。
【図１１】本開示の一態様による、不透明性検出構成要素及び心拍検出構成要素を有する卵検出システムを通して搬送されている複数の卵を示す図である。
【発明を実施するための形態】
【００１８】
ここで本発明のいくつかの態様は示されるが、すべての態様は示されない添付の図面を参照しながら、下に本開示の様々な態様がより詳細に記載される。実際、本開示は多くの異なる形態で具体化されてもよく、本明細書に説明される態様に限定されると解釈されるべきではなく、むしろこれらの態様は、本開示が該当する法定必要条件を満たすために提供される。類似する番号は、終始類似する要素を指す。
【００１９】
本開示は、卵が識別手段を通過する際に卵に接触することなく、高い処理量で複数の卵の生存を正確に決定するためのシステム及び方法に関する。非接触または無接触様式でのシステムへの卵の通過は、処理量を改善するための検出器システム構成要素の静止位置の維持、及び、破裂し得る腐乱した卵等の生きていない卵との接触の制限を含む、多くの利点を提供する。
【００２０】
本明細書において使用される場合、「非接触」及び「無接触」という用語は、生存を決定する際のエミッタ−検出器対の動作中、卵と、本明細書において開示される卵識別システムのある特定の構成要素との間の離間した関係を維持することを指す。いくつかの場合において、これは、卵に対する検出器組立体の離間した関係を具体的に示し得る。これに関して、本開示の検出器組立体は、卵と接触するその構成要素が存在しないように卵から離れて位置付けられてもよく、それにより、干渉信号が検出されるのを制限することができる任意の機械的光シールが排除される。その代わりに、本開示は、卵との接触が必要とされない様式で、他の手段によりこれらの干渉信号を拒絶することに対処する。当然ながら、卵は、卵識別システムを通して卵を運搬するように構成される卵ケース等の担持手段と接触してもよい。これに関して、「非接触」という用語は、卵と卵識別システムの動作構成要素との間の接触の回避を指す。
【００２１】
さらに、本開示は、卵の生存を決定するために透過（いわゆる「貫通ビーム」）モードを使用したシステム及び方法に関する。透過モードで動作することにより、卵識別システムのエミッタ及び検出器は、システムが作業可能な様式で構成され得るように、共通の長手方向軸に沿って軸方向に整列されてもよい。すなわち、システム構成は、反射率モードで動作し、例えば反射率信号を受信するために直角に配設されたエミッタ及び検出器を有するエミッタ−検出器対を考慮する必要はない。その代わり、エミッタ組立体及び検出器組立体は、評価及び識別のために卵が容易にその間を通過することができるように、卵の対向する側に位置付けられてもよい。
【００２２】
しかしながら、本開示の態様は、非接触及び透過様式で動作し得るため、所望の透過光レベルは低くなり得、一方望ましくない干渉信号の可能性は高くなり得る。これに関して、望ましくない干渉信号が制限され、所望の低い透過信号（約１ｎＷ／ｃｍ２未満）が、生存卵の正確及び信頼性のある識別を提供するような処理のために最大化され得る、本開示のさらなる態様が提供される。
【００２３】
本開示の態様による方法及びシステムは、胚発生の間（インキュベーション期間とも呼ばれる）の任意の時点で、生きている卵及び生きていない卵を正確に識別するために利用され得る。本開示の態様は、胚発生期間中の特定の日（例えば１１日目）または期間における識別のみに限定されない。さらに、本開示の態様による方法及び装置は、ニワトリ、シチメンチョウ、カモ、ガン、ウズラ、キジの卵、外来種の卵等を含むがこれらに限定されない、任意の種類の鳥卵と共に使用され得る。
【００２４】
図３は、本開示の様々な態様を実装することができる卵識別システム１００を示す。卵識別システム１００は、フレーム１２０、及び卵ケース５０（図４）内に含有される複数の卵を卵検出システム１６０に搬送するように構成される搬送機システム１４０を含んでもよい。いくつかの場合において、卵識別システムは、卵識別システム及び／またはその
識別のために卵検出システム１６０を通過する卵に関する情報を表示することができるディスプレイ１８０を含んでもよい。卵識別システム１００は、卵検出システム１６０のある特定の構成要素を有効化及び無効化する能力を含む、その様々な側面を制御するためのコントローラを含んでもよい。卵識別システム１００は、携帯型であってもよく、いくつかの場合において、例えば卵注射装置、卵分類装置、卵運搬装置、卵除去器装置、または性別識別装置等の他の関連したデバイスに接続され得るように、モジュール式で構成されてもよい。いくつかの場合において、卵検出システム１６０は、卵注射装置、卵分類装置、卵運搬装置、卵除去器装置、または性別識別装置に直接適用されてもよい。
【００２５】
図４を参照すると、卵ケース５０は、複数の端部５４により制限された複数の交差薄板５２で形成され得る。薄板５２は、複数の開口ポケット５６を画定し、各ポケット５６は、それぞれの卵１の端部を受容することができる。いくつかの場合において、卵１の尖った端部１０（図１及び２）は、尖っていない端部２０が卵ケース５０の上に突出するように、ポケット５６内に受容され得る。
【００２６】
ここで、図５及び６を参照すると、本開示のいくつかの態様による、卵の分類に使用されるエミッタ−検出器対５００が示されている。示されたエミッタ−検出器対５００は、エミッタ組立体２００及び検出器組立体３００を含んでもよい。動作中、複数のエミッタ−検出器対５００がアレイとして配設され、卵ケース５０（図４）により支持された卵の各アレイを分類するために利用されてもよい。示されたエミッタ組立体２００は、円筒形のエミッタ筐体２０２を含んでもよい。本開示の態様は、エミッタ筐体２０２の示された構成に限定されない。エミッタ筐体２０２は、限定されることなく、様々な形状、サイズ及び構成を有してもよい。エミッタ組立体２００のアレイは、卵検出システム１６０のフレームまたは他の支持部材により支持され得る。卵検出システム１６０は、非接触様式で動作するため、エミッタ組立体２００は、上昇位置と下降位置との間で移動する必要がなくてもよいが、いくつかの場合において、それぞれがそのように構成されてもよい。
【００２７】
エミッタ筐体２０２内には、発光源２１０が配置される。発光源２１０は、例えば可視光、赤外光及び近赤外光を含む、電磁スペクトルの様々な波長の電磁放射線を放出するように構成され得る。いくつかの場合において、発光源２１０は、約８２０〜８６０ナノメートル（ｎｍ）の波長範囲内、より具体的には約８５０ｎｍの赤外光を放出するように特に構成され得る。いくつかの態様によれば、発光源は、電磁スペクトルの赤外部分からの光を放出するように構成される発光ダイオード（ＬＥＤ）で形成されてもよい。しかしながら、本開示の態様は、ＬＥＤまたは赤外放射線の使用に限定されない。様々な種類の発光源が、限定されることなく利用され得る。一例として、発光源は、ＯＳＲＡＭからのＳＭＴ  Ｐｏｗｅｒ  ＴｏｐＬＥＤパッケージにおけるモデルＳＦＨ  ４２５９  ＬＥＤ等の表面実装パッケージであってもよい。発光源の別の例は、レーザダイオード源または固体励起源であってもよい。
【００２８】
図５は、発光源２１０により放出された電磁放射線が、エミッタ組立体２００を出る時に移動し得る様々な潜在的放出経路を示す。以前に言及されたように、機械的光シールを使用せずに卵１を透過した低い透過光レベル１０を検出することは、胚心拍に基づいて卵１の生存を評価する際に問題を呈する。機械的光シールが存在しないことを考慮して、本開示の態様は、同じ源からの干渉反射信号１２、及び隣接するエミッタ組立体からのそれらの隣接エミッタ信号１３の生成を最小限化するように、干渉反射信号１２及び隣接エミッタ信号１３の拒絶を最大限化するように、周囲光信号１１の拒絶を最大限化するように、ならびに、信号１４が検出器組立体３００の検出器視野（ＦＯＶ）１５上に衝突するのを最小限化するように構成されてもよい。これに関して、本開示の態様は、所望の信号対干渉（Ｓ／Ｉ）比を達成するために、所望の信号収集を最大限化すると同時に、望ましくない信号の拒絶を最大限化するように構成されてもよい。
【００２９】
エミッタ組立体２００は、放出が卵１に向かって誘導されるように卵１の長手方向軸に沿った電磁放射線の放出を最大限化すると共に、軸外放出の拒絶を最大限化するように構成されてもよい。すなわち、エミッタ組立体２００は、ビームを集光するのではなく、発光源２１０の放出を卵１の所定領域上に投影しながら迷光の放出を制限するために、光を指向性ビームに平行化するように構成されてもよく、迷光は、卵の所定領域を照射しない、エミッタ組立体２００を出る任意の光学エネルギー（または卵の所定領域から反射する光）である。
【００３０】
いくつかの場合において、発光源２１０は、透過光９を周囲光１１から識別するために、狭帯域光源であってもよい。いくつかの態様によれば、発光源２１０は、光源を周囲光１１から区別する波長で放射線を放出してもよい。さらに、発光源２１０から放出された光は、所望の透過信号１０を電気領域内の隣接エミッタ信号１３及び周囲光信号１１から分離するために、離散した（及び、いくつかの場合においては一意の）周波数で変調されてもよい。さらに、発光源２１０から放出された光は、アナログ及びデジタルフィルタ技術による信号回復を可能とし得る、狭い周波数帯内の電気信号電力を特定するために、光電力における正弦波電力変動により変調されてもよい。
【００３１】
図６〜８に示されるように、エミッタ組立体２００は、集光とは対照的に、干渉反射信号１２及び隣接エミッタ信号１３を最小限化するために、発光源２１０からの放出を平行化するように構成されてもよい。いくつかの態様によれば、エミッタ視野２２は、検出器視野１５とほぼ等しくなるように選択されてもよく、これは、いくつかの場合において、直径八（８）ミリメートルの円形領域であってもよい。小さいエミッタ視野２２により、システムは、卵１の表面上の汚れ及びごみ等の局所的な不均一性に対して耐性ではなくなり得るが、過度に大きい領域は光束を拡散させ、信号処理量を低減し得る。信号処理量を最大化する、及び卵表面からの光の散乱を低減するために、発光源２１０からの放出は平行化されてもよい。発光源２１０からの平行化されていない光は、迷光による局所的環境の汚染を最小限化するように減衰されてもよい。
【００３２】
発光源２１０から放出された電磁放射線を平行化するために、コリメータデバイスが提供されてもよい。いくつかの場合において、コリメータデバイスは、例えば、レンズ、全内部反射（ＴＩＲ）パラボラ反射鏡、集光レンズまたはレーザダイオードであってもよい。いくつかの態様によれば、コリメータデバイス２２０は、非球面であってもよい。いくつかの構成において、複数のコリメータデバイス２２０が使用されてもよい。一態様によれば、エミッタレンズ２２０は、発光源２１０に近接してエミッタレンズ２２０を装着するためのレンズ筐体２２５を含んでもよい。図７に示されるように、発光源２１０は、プリント基板（ＰＣＢ）２３０に装着されてもよい。
【００３３】
エミッタ組立体２００の迷光制御は、卵１上のエミッタ視野２２を照射しない、発光源２１０により放出される光の低減を指す。そのような望ましくない照射は、潜在的に散乱して、検出器組立体３００に、または、検出器組立体３００のアレイの場合には隣接する検出器組立体３００に向けて進む可能性がある。エミッタ組立体２００における迷光の放出を最小限化することは、検出器組立体３００における迷光の低減における第１のステップとみなすことができる。これに関して、発光源２１０は、迷光を最小限化するように、エミッタ筐体２０２により封入されてもよい。エミッタ筐体２０２は、各散乱イベントにおいて光を減衰するのを助けるために、黒色陽極酸化されてもよい。エミッタ組立体２００は、光を通過させるエミッタ出口開口２４０における透明窓を含んでもよい。
【００３４】
発光源２１０により放出された、またはレンズ筐体２２５により散乱された残留光を制御するために、エミッタ筐体２０２及び１つ以上の開口または羽根を使用して、エミッタ
バッフル構成を形成することができる。一態様によれば、図８（エミッタ筐体２０２及びエミッタレンズ２２０は、明確性のために取り外されている）に示されるように、エミッタ筐体２０２またはその関連した構造２０４が、エミッタ出口開口２４０及び１つ以上のエミッタ内部開口または羽根２４５を画定してもよい。エミッタ出口開口２４０及びエミッタ内部羽根２４５は、信号を所望の平行ビームに制限しながら、ビーム直径を外れる任意の信号を拒絶することができる。より多くのエミッタ内部羽根２４５の追加と共に、エミッタ組立体２００の長さを増加させると、迷光拒絶が改善され得る。エミッタ組立体２００のエミッタ筐体２０２及び他の構成要素は、放出された光の反射を低減する仕上げを有してもよい。例えば、エミッタ筐体２０２は、黒色陽極酸化表面仕上げを有してもよい。いくつかの場合において、８ミリメートルのエミッタ視野２２により、尖っていない端部２０における卵１の面９５と、エミッタ出口開口２４０との間の軸方向距離の範囲は、約１０ミリメートルから６０ミリメートルの間であってもよい。いくつかの場合において、環境への望ましくない光の放出を低減するために、エミッタ組立体２００の正面の整形、テクスチャ化、またはコーティングが提供されてもよい。
【００３５】
本開示はまた、検卵動作中に卵を透過した電磁放射線／光を受容するための検出器組立体３００を含んでもよい。検出器組立体３００は、エミッタ−検出器対を形成するように、軸方向に整列させて、エミッタ組立体２００に対向して位置付けられてもよい。したがって、複数のエミッタ組立体２００及びそれぞれの複数の検出器組立体２００は、卵ケース内で運搬される複数の卵を評価することができる、エミッタ−検出器対のアレイを形成し得る。
【００３６】
以前に議論されたように、いくつかの場合において、検出器組立体３００は、検出器の一部が卵に接触しないように検卵動作中に卵から離間してもよく、それにより非接触位置を確定する。そのような無接触構成は、以前に説明されたように、処理量の増加を可能とし得、後続の卵の汚染を制限し得る。したがって、無接触の特徴を提供するために、出力信号を表す、指定角度の検出器視野内からの卵１により放出された光の収集を最大限化しながら、検出器視野の外から収集される光を最小限化することが望ましくなり得る。いくつかの場合において、検出器組立体３００は、約１０ミリメートルから１００ミリメートルの間、より具体的には約１９ミリメートル卵１から離間され得る。
【００３７】
検出器組立体３００は、卵を透過した光を検出し、その光電変換を行うための光検出手段を含んでもよい。例えば、卵から出る光の強度に対応する出力信号を生成するための光検出器（例えばＰＩＮダイオード）を有するセンサ３０２である。センサ３０２は、ＤＣを含む変調周波数で発光源２１０により放出される光の波長を検出することができる任意の種類のセンサであってもよい。いくつかの態様によれば、検出器組立体３００は、いわゆる「受動的」センサとなるように、卵１からの光エネルギーを収集するためにいかなる光素子も使用しなくてもよい。一般に、センサ３０２の目的は、卵１の限定された領域（視野）から放出された発光を検出することであってもよい。角度を有する検出器視野よりも大きな角度でセンサ３０２に進入し、センサ３０２を照射する光は、システム応答を低下させる望ましくない応答に寄与し得る。
【００３８】
いくつかの場合において、検出器視野１５は、特に、卵１の尖った端部１０における直径８ミリメートルの領域に特定されてもよく、検出器視野は、卵１の尖った端部１０に接する面９０上で測定され得る。検出器組立体３００は、正方形の活性領域、及び、例えば波長または望ましくない光を拒絶することができる統合された近赤外パスフィルタ等の、統合されたロングパスまたは帯域波長光学フィルタを有してもよい。
【００３９】
検出器組立体は、検出器筐体３１０及び光を通過させる透明窓３０４を含んでもよい。透明窓３０４は、限定されることなく様々な種類の材料から形成され得る。例示的な材料
は、これらに限定されないが、ガラス、サファイア、及びプラスチック（例えば、反射防止透明プラスチック等）を含む。センサ３０２は、検出器筐体３１０内に配置されてもよく、窓３０４を通して卵を出る光を受容する。窓３０４は、検出器筐体３１０が実質的な防水性を維持することを確実とする様々な手法で、検出器筐体３１０に固定され得る。
【００４０】
検出器組立体３００は、検出器筐体３１０内に検出器バッフル構成３３０を含んでもよく、望ましくない経路に沿って検出器組立体３００に進入することができる迷光または軸外光を拒絶するための１つ以上の羽根及び開口を有すると共に、所望の透過光が卵１の尖った端部１０上の検出器視野から収集されるのを可能とする。一態様によれば、図９に示されるように、検出器組立体３００は、センサ３０２に対する視野絞り３２５及び開口絞り３４５として機能する２つの開口３２０及び３４０を含んでもよい。視野絞り３２５は、検出器視野を制限し、一方開口絞り３４５は、光をセンサ３０２に直接到達し得る光のみに制限し、別様にセンサ３０２のすぐ近くに到達する光を拒絶／停止する。いくつかの場合において、開口端は、例えば、０．２５ミリメートルの半径を有してもよい。視野絞り３２５上の開口端半径の特徴は、迷光信号に大きく寄与し得るため、開口３２０の端のより小さい半径は、迷光性能を改善し得ることが判明した。いくつかの場合において、迷光を低減するために、開口３２０及び３４０の端は、特に視野絞り３２５の開口３２０に対して鋭くされてもよい。
【００４１】
いくつかの態様において、開口３４０は、迷光を制御するための円形検出器視野を確実とするために、円形開口として画定されてもよい。開口絞り３４５を通過する全ての信号が、次いでセンサ３０２の表面上に入射し得ることを確実とするために、開口３４０（開口絞り３４５）の直径は、センサ３０２の全幅より若干小さくてもよい。この幾何構造により、開口絞り３４５の寸法及び場所は、センサ３０２の効果的検出領域を決定付ける。検出器視野及びセンササイズが確立されたら、処理量は、視野絞り３２５と開口絞り３４５との間の間隔を制御することにより最適化され得る。そのような間隔は、約１２ミリメートルから２６ミリメートルの間、または、より具体的には約１５ミリメートルから２０ミリメートルの間、または、より具体的には約１７ミリメートルであってもよい。２つの開口直径は、間隔範囲にわたり一定の検出器視野及び検出器サイズを維持するために調節され得る。いくつかの場合において、視野絞り３２５は、約１．０ミリメートルから１．５ミリメートルの間、または、より具体的には約１．３ミリメートルの視野絞り開口半径を有してもよい。いくつかの場合において、開口絞り３４５は、約０．５ミリメートルから１．０ミリメートル、または、より具体的には約０．８ミリメートルの開口絞り半径を有してもよい。
【００４２】
いくつかの態様によれば、図１０（検出器筐体３１０は明確性のために取り外されている）に示されるように、検出器組立体３００は、光学素子または検出器レンズシステムを利用して、卵１上の所定の領域（検出器視野）からの光を収集し、センサ３０２に送達することができる。これに関して、開口及びレンズセル等の機械的特徴が、検出器組立体３００の性能を改善するために含まれてもよい。一態様によれば、検出器組立体３００の構成に３つの開口が含まれてもよい。これらは、入口開口４１０、視野絞り開口４２０、及び検出器開口４３０（それぞれ対応する絞り４１２、４２２、４３２を有する）と呼ぶことができる。検出器組立体３００はまた、レンズセル内に装着された１つ以上のレンズ素子を利用して、検出器レンズシステムを形成してもよい。レンズセルの存在は、より多くの収集された光をセンサ上に誘導してその感度を増加させることにより、検出器組立体３００の性能に影響し得る。残念ながら、レンズセルの存在はまた、迷光寄与を増加させ得る。しかしながら、所望の信号の増加は、干渉信号の増加よりも大きく、それにより、改善された信号対干渉比をもたらす。いくつかの場合において、開口端は、例えば、０．２５ミリメートルの半径を有してもよい。検出器筐体３１０内に配置された構成要素を保護するために、保護窓４４０が含まれてもよい。
【００４３】
いくつかの場合において、検出器レンズシステムは、特に、センサ３０２への送達のために光を収集する４つのレンズ４５０、４５２、４５４、４５６を含んでもよい。しかしながら、検出器レンズシステムは、いくつかの場合において、使用されるレンズがレンズ４５０及び４５４だけであるように、レンズ４５２及び４５６を排除し、単一のカスタムレンズがレンズ対に置き換わってもよいことが留意されるべきである。
【００４４】
図１０に示されるように、この具体的態様において、検出器レンズシステムは、複数のレンズセル３５０、３５２、３５４を含んでもよく、レンズ４５０は、レンズセル３５０内に配置されてもよく、レンズ４５２は、レンズセル３５２内に配置されてもよく、レンズ４５４及び４５６は、レンズセル３５４内に配置されてもよい。１つの具体的態様によれば、レンズ４５０、４５２、４５４及び４５６は、それぞれ、約２０ミリメートル、２５ミリメートル、１５ミリメートル及び８ミリメートルの焦点距離を有してもよい。いくつかの場合において、レンズ４５０は、入口開口絞り４１２から約０．０５ミリメートルから０．１５ミリメートル離れていてもよく、レンズ４５２は、入口開口絞り４１２から約１１．５ミリメートルから１２．０ミリメートル離れていてもよく、レンズ４５４は、視野開口絞り４２２から約６ミリメートルから７ミリメートル離れていてもよく、レンズ４５６は、視野開口絞り４２２から約１１ミリメートルから１２ミリメートル離れていてもよい。いくつかの場合において、視野開口絞り４２２は、入口開口絞り４１２から約３０ミリメートルから３５ミリメートルの間、より具体的には約３２ミリメートル離れていてもよく、一方、検出器開口絞り４３２は、入口開口絞りから約４５ミリメートルから５０ミリメートルの間、より具体的には約４９ミリメートル離れていてもよく、センサ３０２は、入口開口絞りから約４５ミリメートルから５５ミリメートルの間、より具体的には約５０ミリメートル離れていてもよい。
【００４５】
いくつかの態様によれば、入口開口の開口半径は、約５．０ミリメートルから６．０ミリメートルの間、または、より具体的には約５．７ミリメートルであってもよい。いくつかの場合において、視野絞り開口の開口半径は、約３．０ミリメートルから４．０ミリメートルの間、または、より具体的には約３．６ミリメートルであってもよい。いくつかの場合において、検出器開口の開口半径は、約１．０ミリメートルから２．０ミリメートルの間、または、より具体的には約１．５ミリメートルであってもよい。
【００４６】
いくつかの実施形態によれば、検出器組立体３００は、周囲光の効果を最小限化するために、ロングパスまたはバンドパス光学フィルタをセンサ３０２の正面に実装してもよい。そのようなフィルタは、個別であってよく、または、検出器組立体３００内に構成されてもよい。いくつかの態様によれば、検出器組立体３００は、狭帯域電気信号を使用して、望ましくない信号を拒絶してもよい。いくつかの場合において、検出器組立体３００の感度は、そのようなフィルタの帯域幅により決定されてもよい。いくつかの実施形態によれば、検出器組立体３００は、サンプリングされ得る信号レベルを増加させるために、低雑音増幅器を含んでもよい。いくつかの態様によれば、変調信号からの情報を回復するために、包絡線検出器が使用されてもよく、そのような回復のために、周波数逓降器／ミキサーが随意に使用されてもよい。いくつかの態様によれば、その後のデジタル処理のための検出信号をサンプリングするために、アナログ−デジタル変換器が使用されてもよい。
【００４７】
動作中、一度卵１がエミッタ−検出器対の間に配置されると、発光源２１０は、卵１に光（図６において７０として示される）を放出し得る。センサ３０２は、卵５を出る光（図６において７５として示される）を受容し、卵１を出る光の強度に対応する出力信号を生成し得る。
【００４８】
プロセッサ５００は、検出器組立体３００と連通してもよく、センサ３０２からの出力
信号を処理して卵１の生存を決定するように構成されてもよい。胚の拍動を有する卵は、生きた卵として指定され得る。生存は、出力信号を処理して、胚の拍動または胚の動きに対応する光強度の変動の存在を決定することにより決定され得る。
【００４９】
例えば、いくつかの場合において、生存は、出力信号を処理して、胚の拍動に対応する光強度の循環的または周期的変動の存在を決定することにより決定され得る。この種の信号は、典型的には、胚の心臓の動き及び胚の血管領域内の血液変位により生成され得る。周期的信号は、バックグラウンドの機械的な動き（例えば、モータの振動、操作者の取り扱い等）を含む非周期的信号からの分離を可能とする、電気フィルタリング及び信号処理技術に役立ち得る。本明細書において使用される場合、周期的変動は、ある程度の変動を有し得るが、真に周期的でなくてもよい信号を指す。すなわち、胚の心拍数は、多くの因子に起因して変動し得るが、それでも心拍信号として容易に解釈され得る循環的信号とみなされる。周期的信号の検出は、周波数領域で生じ得る。
【００５０】
他の場合において、生存は、出力信号を処理して、胚の動きに対応する光強度の非周期的変動または摂動の存在を決定することにより決定され得る。この種の信号は、単一の心拍により生成され得るが、胚が卵内で位置を変えた場合に生成され得る。この種の信号は、バックグラウンドの機械的な動きにより生成される信号と区別するのが困難となり得る。卵内の胚の動きは、卵を透過する光の量を変化させ得る。検出された信号は、次いで、振幅の変化を示し得る。非周囲的信号の検出は、時間領域で生じ得る。
【００５１】
生きていない卵からの信号は、一般に、一定として識別され得、潜在的な干渉信号または雑音以外に、信号のいかなる変動も含まない可能性がある。すなわち、生きていない卵においては、いかなる対応する心拍または胚の動きも検出されないだろう。
【００５２】
いくつかの態様によれば、プロセッサ５００は、検出された信号内の周期的（心拍）パターンを識別するために、例えば高速フーリエ変換（ＦＦＴ）または離散フーリエ変換（ＤＦＴ）等の信号処理技術を使用してもよい。いくつかの態様によれば、プロセッサ５００は、周期的（心拍）信号をより正確に識別するために、オーバーサンプリング及びウィンドウ生成を使用して、周波数変換における不規則雑音を平均化してもよい。
【００５３】
本開示のいくつかの態様によれば、卵検出システム１６０は、卵識別システム１００を通して移動されながら、生存性に従って卵を識別することが可能であってもよい。これに関して、卵ケース５０内の卵１は、その生存評価の間、卵識別システム１００を通して移動されることが可能であってもよく、それにより、所望の最適な処理量が可能となる。その目的で、卵ケース５０は、十分なデータ収集を可能とするために、識別処理の間停止または中断されることが必要となり得る。いくつかの場合において、非周期的信号を検出するための検出時間は、周期的信号を検出するための検出時間より短くてもよい。
【００５４】
卵１の尖っていない端部２０が照射されるように示され説明されているが、エミッタ組立体２００及び検出器組立体３００の位置は、電磁放射線が上方に卵１の尖った端部１０内に向けられ、尖っていない端部２０で透過光が検出されるように入れ替えられてもよい。さらに、いくつかの場合において、卵は、軸方向に整列したエミッタ−検出器対の共通軸に対して角度を持った方位を有してもよい。具体的には、いくつかの場合において、卵は、卵の長さ方向軸が、エミッタ−検出器対の共通軸に垂直であるように、エミッタ−検出器対に対して位置付けられてもよい。このようにして、卵は、識別のために、エミッタ−検出器対に対して「横向き」に提示されてもよい。
【００５５】
いくつかの態様によれば、図１１に示されるように、卵検出システム１６０は、不透明性識別システム６００及び心拍検出システム７００を含んでもよい。心拍検出システム７
００は、図５〜１０に関して以前に説明された態様により表される。いくつかの場合において、不透明性識別システム６００は、心拍検出システム７００から処理方向８００において上流に提供されてもよい。不透明性識別システム６００は、搬送される卵ケース５０の上に位置するエミッタ組立体（個々のエミッタ６１０）及び搬送される卵ケース５０の下に位置する受容器組立体を含んでもよい。不透明性識別システム６００は、心拍検出システム７００に搬送される前に卵を走査し、卵を非生存（透明）卵または生存（非透明）卵として識別する。エミッタ６１０は、各卵１を通して光を下方に向けてもよく、受容器は、卵を通過した光を集める。各卵１を通過する光は、卵が非生存卵または生存卵であるかを決定するために測定され得る。
【００５６】
これに関して、不透明性識別システム６００は、心拍検出システム７００に通過させる前に、透明卵、早期死亡卵、または卵ケース５０にない卵を識別するための第一通過識別器として使用されてもよい。心拍検出システム７００の検出器組立体３００の飽和を制限するために、エミッタ−検出器対のそれぞれの位置は、例えば透明、早期死亡、または非存在として不透明性識別システム６００により特定された卵１に関連する場合、停止される、解除される、または別様に無効化されてもよい。すなわち、透明、早期死亡、また非存在である卵１は、著しい量の透過光を不必要に検出器組立体３００に到達させる可能性がある。したがって、コントローラが、心拍検出器システム７００に関連したエミッタ組立体２００及び／または検出器組立体３００の動作を選択的に誘導し得るように、不透明性識別システム６００は、卵識別システム１００のコントローラと連通してもよい。このようにして、検出器の飽和は、ある特定のエミッタ−検出器対が所与の卵ケース５０に対して無効化されるべきであることをコントローラに伝達することにより、最小限化され得る。
【００５７】
いくつかの態様によれば、各卵は、識別システムの改善された精度をさらに確実とするために、心拍検出システム７００を通過する際に２つ以上のエミッタ−検出器対により評価及び識別を受けることができる。
【００５８】
本明細書に記載のシステム及び方法はまた、卵の評価全体にわたり卵殻構造が無傷なままであるという点で、非侵襲的と呼ぶことができる。さらに、本開示の態様は、生存に関して卵を評価するために、卵殻または卵の内部成分に物質を導入することを必要としないが、いくつかの場合において、バイオマーカー等のそのような物質が、評価前に導入されてもよい。しかしながら、１種以上の物質の導入を含むそのような態様は、侵襲的であるとみなされるだろう。
【００５９】
本明細書で説明される本開示の多くの修正及び他の態様が、前述の記載及び関連する図面において提示される教示の利益を有する、本開示が属する当業者に想起されるであろう。したがって、本開示は開示される特定の態様に限定されないこと、ならびに修正及び他の態様が添付の特許請求の範囲の範囲内に含まれることが意図されることが理解されたい。本明細書で特定の用語が用いられるものの、それらは一般的かつ記述的な意味でのみ使用され、限定の目的のためではない。
【図１】
2019132845.tif 000003
【図２】
2019132845.tif 000004
【図３】
2019132845.tif 000005
【図４】
2019132845.tif 000006
【図５】
2019132845.tif 000007
【図６】
2019132845.tif 000008
【図７】
2019132845.tif 000009
【図８】
2019132845.tif 000010
【図９】
2019132845.tif 000011
【図１０】
2019132845.tif 000012
【図１１】
2019132845.tif 000013
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
鳥卵の生存を決定するための卵識別システムであって、
複数の卵を含有する卵ケースを搬送するように構成される搬送機システムと、
同時に電磁放射線を放出するように構成される複数のエミッタ組立体であって、それぞれのエミッタ組立体が、前記卵ケース内において搬送される前記卵の１つに向けて電磁放射線を放出するように構成され、前記放出された電磁放射線は、連続して放出される間に周波数変調される、エミッタ組立体と、
それぞれのエミッタ組立体から離間する複数の検出器組立体であって、それぞれの検出器組立体が、それぞれの卵と相互作用する前記電磁放射線を検出するように構成され、前記エミッタ組立体が電磁放射線を同時に放出すると、前記それぞれのエミッタ組立体に関する電気領域内の前記変調電磁放射線の周波数を並行して区別するように構成される、検出器組立体と、
それぞれの検出器組立体により検出された、それぞれの卵と相互作用する前記電磁放射線が、生存卵であるか非生存卵であるかを示すものであるかを決定するために、それぞれの検出器組立体の出力信号を処理するように構成されるプロセッサとを備える、
前記卵識別システム。
【請求項２】
前記エミッタ組立体から放出された前記電磁放射線は、光電力における正弦波電力変動により変調される、請求項１に記載の卵識別システム。
【請求項３】
それぞれの検出器組立体は、狭い周波数帯内の電気信号電力を特定するように構成される、請求項２に記載の卵識別システム。
【請求項４】
それぞれのエミッタ組立体は、アナログ及びデジタルフィルタリングの１つを使用して、前記電気領域内でそれが区別されることが可能となるように、一意の周波数で変調される、請求項１に記載の卵識別システム。
【請求項５】
それぞれのエミッタ組立体は、そこから放出された前記電磁放射線を平行化するように構成されるコリメータデバイスを備える、請求項１に記載の卵識別システム。
【請求項６】
前記エミッタ組立体は、赤外放射線を放出するように構成される発光ダイオード源を含む、請求項１に記載の卵識別システム。
【請求項７】
卵の生存を決定する方法であって、
搬送機システムを使用して、卵ケース内に含有される複数の卵を搬送するステップと、
複数のエミッタ組立体から前記卵に向けて、周波数変調電磁放射線を同時に放出するステップと、
複数の検出器組立体を介して前記卵と相互作用する電磁放射線を検出するステップであって、それぞれの検出器組立体は、それぞれのエミッタ組立体から離間しており、前記エミッタ組立体が電磁放射線を連続して放出すると、前記それぞれのエミッタ組立体に関する電気領域内の前記変調電磁放射線の周波数を並行して区別するように構成されている、検出するステップと、
それぞれの検出器組立体により検出された前記電磁放射線から、出力信号を生成するステップと、
それぞれの検出器組立体により検出された、それぞれの卵と相互作用する前記電磁放射線が生存卵であるか非生存卵であるかを示すものであるかを決定するために、それぞれの出力信号を処理するステップとを含む、
前記方法。
【請求項８】
周波数変調電磁放射線を放出するステップは、光電力における正弦波電力変動により変調される周波数変調電磁放射線を放出するステップを含む、請求項７に記載の方法。
【請求項９】
前記卵を透過した電磁放射線を検出するステップは、狭い周波数帯内の電気信号電力を特定するステップを含む、請求項８に記載の方法。
【請求項１０】
周波数変調電磁放射線を放出するステップは、アナログ及びデジタルフィルタリングの１つを使用して、前記電気領域で周波数変調電磁放射線が区別されることが可能となるように、一意の周波数で変調された周波数変調電磁放射線を放出するステップを含む、請求項７に記載の方法。
【請求項１１】
エミッタ組立体から前記卵に向けて周波数変調電磁放射線を放出するステップは、前記電磁放射線をコリメータデバイスで平行化するステップを含む、請求項７に記載の方法。
【請求項１２】
エミッタ組立体から周波数変調電磁放射線を放出するステップは、発光ダイオード源により赤外放射線を放出するステップを含む、請求項７に記載の方法。
【外国語明細書】
2019132845000001.pdf